(57)【特許請求の範囲】
【請求項１】
有底筒状をなし、端面が開口しているハウジングと、前記ハウジングの側壁の内部に前記端面と平行に設けた第１の貫通孔と、前記端面を覆う蓋面を有するカバーと、前記カバーの内部に前記蓋面と平行に設けた第２の貫通孔と、前記第１の貫通孔と前記第２の貫通孔に圧入固定されるＵ字棒状体と、からなることを特徴とする筐体の開閉構造。
【請求項２】
有底筒状をなし、端面が開口しているハウジングと、前記ハウジングの側壁の内部に前記端面と平行に設けた第１の貫通孔と、前記端面を覆う蓋面を有するカバーと、前記カバーの内部に前記蓋面と平行に設けた第２の貫通孔と、前記第１の貫通孔と前記第２の貫通孔に圧入固定される着脱自在の第１のＵ字棒状体と、前記ハウジングの側壁の対向壁の内部に前記第１の貫通孔と平行に設けた第３の貫通孔と、前記カバーの内部に前記第２の貫通孔と平行に設けた第４の貫通孔と、前記第３の貫通孔と前記第４の貫通孔に圧入固定される着脱自在の第２のＵ字棒状体と、からなることを特徴とする筐体の開閉構造。
【請求項３】
前記Ｕ字棒状体は各貫通孔に圧入固定する棒状部と、前記棒状部を連結する連結部と、を備え、前記Ｕ字棒状体の棒状部が各貫通孔に圧入固定されるとき、前記連結部が前記ハウジングおよび前記カバーの幅以下に収納されるために、前記ハウジングおよび前記カバーは切欠き部を設けたことを特徴とする請求項１乃至２記載の筐体の開閉構造。
【請求項４】
電気機器の回路基板がハウジングまたはカバーに固定された状態で収納される請求項１乃至３記載の筐体の開閉構造。
【発明の詳細な説明】
【技術分野】
【０００１】
本発明は、簡単な構成で操作性が良い電気機器のハウジングとカバーによる筐体の開閉構造に関するものである。
【背景技術】
【０００２】
従来、筐体の蝶番構造は、例えば高所に設置されるテレビ共聴用機器の例がある。この筐体の蝶番構造は、蝶番のボルトを締めても蓋が急激に開かず、且つボルトの締め具合に応じて蓋の開く位置を調整できるものである。（例えば、特許文献１参照）
【特許文献１】実公昭５９−０３６９３０号公報（図４）
【発明の開示】
【発明が解決しようとする課題】
【０００３】
従来の筐体の蝶番構造は、蓋体が開くときに回動軸棒取付部の外周面との摩擦で緩やかに止めるために、回動軸棒取付部が蓋体の集中荷重に耐えられるように大きくなり、美感上で好ましくなかった。
【０００４】
本発明は、上記課題を解決するためになされたもので、カバーを開放するときに任意の位置で止められ、簡単な構成で美感に優れた電気機器の筐体の開閉構造を提供することを目的とする。
【課題を解決するための手段】
【０００５】
本発明の筐体の開閉構造は、有底筒状をなし、端面が開口しているハウジングと、ハウジングの側壁の内部に端面と平行に設けた第１の貫通孔と、端面を覆う蓋面を有するカバーと、カバーの内部に蓋面と平行に設けた第２の貫通孔と、第１の貫通孔と第２の貫通孔に圧入固定されるＵ字棒状体と、からなることを特徴とするものである。
【０００６】
また、本発明の筐体の開閉構造は、有底筒状をなし、端面が開口しているハウジングと、ハウジングの側壁の内部に端面と平行に設けた第１の貫通孔と、端面を覆う蓋面を有するカバーと、カバーの内部に蓋面と平行に設けた第２の貫通孔と、第１の貫通孔と第２の貫通孔に圧入固定される着脱自在の第１のＵ字棒状体と、ハウジングの側壁の対向壁の内部に第１の貫通孔と平行に設けた第３の貫通孔と、カバーの内部に第２の貫通孔と平行に設けた第４の貫通孔と、第３の貫通孔と第４の貫通孔に圧入固定される着脱自在の第２のＵ字棒状体と、からなることを特徴とするものである。
【０００７】
また、本発明の筐体の開閉構造は、Ｕ字棒状体は各貫通孔に圧入固定する棒状部と、棒状部を連結する連結部と、を備え、Ｕ字棒状体の棒状部が各貫通孔に圧入固定されるとき、連結部がハウジングおよびカバーの幅以下に収納されるために、ハウジングおよびカバーは切欠き部を設けたものである。
【０００８】
さらに、本発明の筐体の開閉構造は、電気機器の回路基板がハウジングまたはカバーに固定された状態で収納されるものである。
【発明の効果】
【０００９】
本発明の筐体の開閉構造は、ハウジングおよびカバーの側壁に設けた取付穴にＵ字棒状体を圧入固定するだけで、ヒンジが筐体の接合面に無いために筐体から突出せず、目立たない封止構造を得ることができる。また、ハウジングとカバーの取付ネジは、カバーがＵ字棒状体の取付部を支点として開閉するために、対向壁の半分だけに減らせる。さらに、ハウジングおよびカバーの両側壁に設けた取付穴にＵ字棒状体を圧入固定すれば、ハウジングとカバーの取付ネジが不要となるうえ、カバーはいずれか片方のＵ字棒状体を取り外すことにより開閉方向を変えられるようになり、施工性およびメンテナンス性が向上する。
【発明を実施するための最良の形態】
【００１０】
図１は、本発明の第１の実施形態における筐体３０の一例である炎感知器４０の外観図である。図２は、本発明の第１の実施形態における筐体３０の一例である炎感知器４０のＵ字金具５を圧入固定する状態の外観図である。図３は、本発明の第１の実施形態における筐体３０の一例である炎感知器４０のカバー２を開いた状態の外観図である。図４は、本発明の第１の実施形態における筐体３０の背面図である。図５は、本発明の第１の実施形態における筐体３０の側面図である。図６は、本発明の第１の実施形態における筐体３０のカバー２が全開である状態を示す外観図である。
【００１１】
炎感知器４０は工場やプラント内の監視区域に設置され、火災による炎の炭酸ガス共鳴放射スペクトルを検出して火災判別する。図示しない検出素子および火災判別部が実装された回路基板１０はハウジング１またはカバー２に固定されて、筐体３０に収納されている。また、カバー２の開口部には、炭酸ガス共鳴放射スペクトルを透過させる光学フィルタ２０が備えられている。
【００１２】
ハウジング１およびカバー２は、それぞれ平面視として略方形に形成されている。ハウジング１の端面１２に平行に設けた第１の貫通孔３と、カバー２の蓋面１３に平行に設けた第２の貫通孔４とは、所定間隔だけ離れている。１対のＵ字金具５は、ハウジング１に設けた第１の貫通孔３とカバー２に設けた第２の貫通孔４の両脇から棒状部５１を挿入して圧入固定される。これにより、Ｕ字金具５を圧入固定する第１の貫通孔３または第２の貫通孔４を支点としてハウジング１とカバー２を開閉できるため、全開状態の180°まで任意の角度で静止できる。また、第１の貫通孔３または第２の貫通孔４と、Ｕ字金具５との間に開閉時に発生する摩擦抵抗は、各貫通孔の側壁の一部を切り欠いたり、Ｕ字金具５の棒状部５１の外径と第１の貫通孔３または第２の貫通孔４の内径の差を広げることで調整できる。なお、Ｕ字金具５（Ｕ字棒状体）は鉄鋼以外の材料でもよい。
【００１３】
ハウジング１とカバー２を固定する図示しない取付ネジは、少なくともＵ字金具取付部６の反対側だけに設ければよい。また、Ｕ字金具５を挿入後に棒状部先端に抜止め用の金具等を固定してもよい。この第１の実施形態の場合は、一対のＵ字金具５が必要となるが、各貫通孔に圧入固定する棒状部５１が短くなるために、小さい力で取付できる長所がある。さらに、略方形状のハウジング１およびカバー２の四隅の角部は切欠き部１１を設けたことにより、Ｕ字金具５の連結部５２が第１の貫通孔３または第２の貫通孔４に入らなくても、筐体３０の幅から突出することがないために美感を損ねない。
【００１４】
次に、本発明の第１の実施形態における炎感知器４０の施工およびメンテナンス手順について説明する。まず、作業者は炎感知器４０のハウジング１に設けられた図示しない基板部をボルト等で取付面に設置する。次に、取付ネジ用溝７から図示しない取付ネジを外すことにより、Ｕ字金具５を圧入固定したハウジング１の第１の貫通孔３またはカバー２の第２の貫通孔４を支点としてカバー２を開く。なお、図示しない取付ネジを取り外してもカバー２の回転発生力に対して、第１の貫通孔３または第２の貫通孔４とＵ字金具の棒状部５１は十分な摩擦抵抗があるためにカバー２が急激に動き出すことは無い。そして、図示しない受信部からの電線と炎感知器４０の配線を接続したり、部品のオーバーホールや修理などの作業終了後、カバー２を再び全閉状態の位置まで戻してから図示しない取付ネジによりハウジング１と固定する。
【００１５】
筐体３０が防水または防滴仕様が要求されるときは、ハウジング１の端面１２とカバー２の蓋面１３の接合面に図示しないパッキンを挟んでもよい。または、ハウジング１とカバー２のいずれかに凹凸部を設け、嵌合するようにしてもよい。また、ハウジング１に蓋面１３を設け、カバー２に端面１２を設けてもよい。
【００１６】
図７は、本発明の第２の実施形態における筐体３０の背面図である。第１の実施形態と異なる点は、ハウジング１に設けた第１の貫通孔３とカバー２に設けた第２の貫通孔４の両脇から１対の短いＵ字金具５を圧入固定する代わりに、第１の貫通孔３と第２の貫通孔４のいずれか片側から１本の長いＵ字金具１４を圧入固定する。その結果、第１の実施形態と同じ効果が得られるうえに、長いＵ字金具１４が１本だけでよいことによる美感の向上と、組立工数の削減が可能である。
【００１７】
図８は、本発明の第３の実施形態における筐体３０の平面図である。図９は、本発明の第３の実施形態における筐体３０の側面図である。図１０は、本発明の第３の実施形態における筐体３０の一方のＵ字金具５を各貫通孔から取り外し、残り一方のＵ字金具取付部６を支点としてカバー２を開いた状態を示す外観図である。
【００１８】
第３の実施形態は、第１の実施形態におけるＵ字金具取付部６の対向壁にも同様に、第３の貫通孔８と第４の貫通孔９とからなるＵ字金具取付部６を設けるものである。そして、双方のＵ字金具取付部６にＵ字金具５を圧入固定した状態において、ハウジング１とカバー２は全閉状態となる。よって、第１の実施形態のようにハウジング１とカバー２の固定に図示しない取付ネジは使用しなくてもよいので、組立工数をさらに短縮できる。また、カバー２を開閉する際は、いずれか一方のＵ字金具５を取り外すことにより、残り一方のＵ字金具取付部６の各貫通孔が支点となり、作業者が設置現場の状況に応じてカバー２の開閉する方向を決めることができる。
【００１９】
第２の実施形態と同様にして、１対の短いＵ字金具５の代わりに１本の長いＵ字金具１４を使用してもよい。
【００２０】
次に、本発明の第３の実施形態における炎感知器４０の施工およびメンテナンス手順について説明する。作業者は、ハウジング１およびカバー２の両側壁に設けられた第１の貫通孔３および第２の貫通孔４に圧入固定されたＵ字金具５または第３の貫通孔８および第４の貫通孔９に圧入固定されたＵ字金具５のうち、いずれか一方を取り外すことによって、残り一方のＵ字金具取付部６を支点としてカバー２を開く。なお、片側のＵ字金具５を取り外しても、カバー２の回転発生力に対して各貫通孔とＵ字金具５の棒状部５１十分な摩擦抵抗があるためにカバー２が急激に動き出すことは無い。この時、炎感知器４０の周囲にカバー２を開放することを妨げる障害物があるかを確認しながら、カバー２の開閉方向と角度を選択できる。そして、図示しない受信部からの電線と炎感知器４０の配線を接続したり、部品のオーバーホールや修理などの作業終了後、カバー２を再び全閉状態の位置まで戻して、取り外したＵ字金具５を各貫通孔に圧入固定してロック状態とする。
【００２１】
本発明は炎感知器４０の例を説明したが、煙感知器や熱感知器に用いもよい。また、各種の電気機器のハウジング１とカバー２に用いてもよい。さらに、作業者以外が誤ってＵ字金具５を取り外せないように、いたずら防止ネジ等を用いてもよい。
【００２２】
本発明の第１の実施形態においては、Ｕ字金具５は第１の貫通孔３および第２の貫通孔４に圧入固定しているため、ハウジング１とカバー２を固定する図示しない取付ネジは、従来の半分の数量だけ取付すれば良く、組立工数が削減できる。また、Ｕ字金具５は筐体３０の切欠き部１１に収納されるため、目立たずに美感上の点で優れている。
【００２３】
本発明の第３の実施形態においては、ハウジング１とカバー２の図示しない取付ネジは不要であるため、第１の実施形態よりもさらに組立工数が削減できる。また、着脱するＵ字金具５を選択することで、カバー２の開閉する方向を変えられる。
【図面の簡単な説明】
【００２４】
【図１】本発明の第１の実施形態における筐体３０の一例である炎感知器４０の外観図である。
【図２】本発明の第１の実施形態における筐体３０の一例である炎感知器４０のＵ字金具５を圧入固定する状態の外観図である。
【図３】本発明の第１の実施形態における筐体３０の一例である炎感知器４０のカバー２を開いた状態の外観図である。
【図４】本発明の第１の実施形態における筐体３０の背面図である。
【図５】本発明の第１の実施形態における筐体３０の側面図である。
【図６】本発明の第１の実施形態における筐体３０のカバー２が全開である状態を示す外観図である。
【図７】本発明の第２の実施形態における筐体３０の背面図である。
【図８】本発明の第３の実施形態における筐体３０の平面図である。
【図９】本発明の第３の実施形態における筐体３０の側面図である。
【図１０】本発明の第３の実施形態における筐体３０の一方のＵ字金具５を各貫通孔から取り外し、残り一方のＵ字金具取付部６を支点としてカバー２を開いた状態を示す外観図である。
【符号の説明】
【００２５】
１    ハウジング
２    カバー
３    第１の貫通孔
４    第２の貫通孔
５    Ｕ字金具（Ｕ字棒状体）
６    Ｕ字金具取付部
７    取付ネジ用溝
８    第３の貫通孔
９    第４の貫通孔
１０  回路基板
１１  切欠き部
１２  端面
１３  蓋面
１４  長いＵ字金具
２０  光学フィルタ
３０  筐体
４０  炎感知器
５１  棒状部
５２  連結部
【図１】
0004654147.tif 000002
【図２】
0004654147.tif 000003
【図３】
0004654147.tif 000004
【図４】
0004654147.tif 000005
【図５】
0004654147.tif 000006
【図６】
0004654147.tif 000007
【図７】
0004654147.tif 000008
【図８】
0004654147.tif 000009
【図９】
0004654147.tif 000010
【図１０】
0004654147.tif 000011